(57)【要約】【課題】  薄型化できる光ディスクドライブ装置を提供することを目的とする。【解決手段】  光ディスクドライブ装置１は、回路基板１１を有する本体１０と、本体１０に対して排出収納可能にスライドし、ディスク載置面２１を有するディスクトレー２０と、ディスクトレー２０に設置される光ピックアップ３１、ドライブモータ３２と、回路基板１１と前光ピックアップ３１、ドライブモータ３２とを電気的に接続し、可撓性を有するＦＰＣ４０と、を備え、ＦＰＣ４０は、ディスクトレー２０の後方に配置されると共に、ディスク載置面２１に平行な面に沿って重なるように撓むことを特徴とする。【選択図】    図１
2011090743.tif 000002
【特許請求の範囲】
【請求項１】
回路基板を有する本体と、
前記本体に対して排出収納可能にスライドし、ディスク載置面を有するディスクトレーと、
前記ディスクトレーに設置される電子部品と、
前記回路基板と前記電子部品とを電気的に接続し、可撓性を有する導電線と、
を備え、
前記導電線は、前記ディスクトレーの後方に配置されると共に、前記ディスク載置面に平行な面に沿って重なるように撓む
ことを特徴とする光ディスクドライブ装置。
【請求項２】
前記導電線は、前記ディスクトレーが本体に収納された状態において撓む場所が予め屈曲状態にされると共に、前記屈曲状態が維持されることを特徴とする請求項１に記載の光ディスクドライブ装置。
【請求項３】
前記導電線は、複数のケーブルから成り、前記屈曲状態が維持される場所において、複数の前記ケーブルが束ねられていることを特徴とする請求項１または２に記載の光ディスクドライブ装置。
【請求項４】
複数の前記ケーブルは、前記屈曲状態が維持される場所において、樹脂から成るチューブに屈曲された状態で挿入されて、前記チューブ内において束ねられることを特徴とする請求項３に記載の光ディスクドライブ装置。
【請求項５】
前記導電線は、ＦＰＣ、または、ＦＦＣであることを特徴とする請求項１または２に記載の光ディスクドライブ装置。
【発明の詳細な説明】
【技術分野】
【０００１】
本発明は、光ディスクドライブ装置に関する。
【背景技術】
【０００２】
現在、光ディスクドライブ装置の一つとして、光ディスクが載置されるディスクトレーが、光ディスクドライブ装置本体の筐体の内側から外側にスライドして排出される光ディスクドライブ装置が知られている。このようなディスクトレーがスライドする光ディスクドライブ装置においては、ディスクトレーに光ピックアップやドライブモータ等が設置されている場合がある。このようにディスクトレーに光ピックアップやドライブモータ等が設置されている光ディスクドライブ装置においては、光ディスクドライブ装置の本体に設けられている電源や制御部等が搭載された回路基板と、ディスクトレーに設置される光ピックアップやドライブモータ等とが電源線や信号線等から成る複数の導電線により電気的に接続されている。
【０００３】
下記特許文献１には、このような光ディスクドライブ装置が記載されている。この光ディスクドライブ装置においては、光ディスクドライブ装置本体に設けられた回路基板と、ディスクトレーに設置された光ピックアップとがＦＰＣ（Flexible Printed Circuits）により電気的に接続されている。そして、このＦＰＣの一方側の端部は、光ディスクドライブ装置本体の回路基板に接続されているため位置が固定されており、他方側の端部は、ディスクトレーに設けられた光ピックアップに接続されているため、ディスクトレーのスライドに伴い移動する。また、このＦＰＣは、ディスクトレーの下側で撓んで折り返されている。そして、下記特許文献１に記載の光ディスクドライブ装置においては、ディスクトレーがスライドする動作に伴って、ＦＰＣの両方の端部の位置が相対的に変化するときに、ＦＰＣの撓む場所が移動して、本体の回路基板と光ピックアップ等との電気的な接続が保たれる構成とされている。
【先行技術文献】
【特許文献】
【０００４】
【特許文献１】特開２００６−２０２３６７号公報
【発明の概要】
【発明が解決しようとする課題】
【０００５】
しかし、上記特許文献１に記載の光ディスクドライブ装置においては、ディスクトレーの下側においてＦＰＣが撓む構成とされているため、光ディスクドライブ装置の厚さが大きくなる傾向にある。
【０００６】
そこで、本発明は、薄型化できる光ディスクドライブ装置を提供することを目的とする。
【課題を解決するための手段】
【０００７】
本発明の光ディスクドライブ装置は、回路基板を有する本体と、前記本体に対して排出収納可能にスライドし、ディスク載置面を有するディスクトレーと、前記ディスクトレーに設置される電子部品と、前記回路基板と前記電子部品とを電気的に接続し、可撓性を有する導電線と、を備え、前記導電線は、前記ディスクトレーの後方に配置されると共に、前記ディスク載置面に平行な面に沿って重なるように撓むことを特徴とするものである。
【０００８】
このような光ディスクドライブ装置によれば、ディスクトレーに設けられた電子部品と本体の回路基板とを電気的に接続する導電線が、ディスクトレーの後方に配置される。従って、この導電線は、ディスクトレーと上下方向において重ならない。そして、ディスクトレーが収納されている状態において、導電線は、ディスクトレーの後方においてディスク載置面に平行な方向に沿って重なるようにして撓む。従って、導電線が撓むために必要なスペースの厚さを、導電線のディスク載置面に垂直な方向に沿った幅と同じ大きさまで薄くすることができる。こうして、光ディスクドライブ装置を薄型化することができる。
【０００９】
また、上記光ディスクドライブ装置において、前記導電線は、前記ディスクトレーが本体に収納された状態において撓む場所が予め屈曲状態にされると共に、前記屈曲状態が維持されることが好ましい。
【００１０】
このような光ディスクドライブ装置によれば、ディスクトレーが収納された状態では、導電線は、屈曲した状態で折りたたまれる。従って、ディスクトレーの後方のスペースを小さくすることができる。こうして、光ディスクドライブ装置の奥行きを小さくすることができる。さらに、導電線のディスクトレーが収納された状態で屈曲する場所が、予め屈曲状態にされると共に、この屈曲状態が維持される。従って、ディスクトレーがスライドして排出されるとき、導電線の屈曲状態が維持される場所が伸展することが防止される。このように屈曲状態が維持される場所が伸展することが防止されるため、ディスクトレーがスライドして排出されるときは、導電線は、屈曲状態が維持される場所が屈曲された状態で、この屈曲状態が維持される場所以外の全体が撓みながら、折りたたまれた状態から伸びる状態になる。従って、屈曲・伸展の動作が導電線における１か所に集中することを防止することができる。このようにして、導電線の１か所が屈曲・伸展することにより、導電線が疲労して断線することを抑制することができる。こうして、耐久性に優れる光ディスクドライブ装置にすることができる。
【００１１】
また、上記光ディスクドライブ装置において、前記導電線は、複数のケーブルから成り、前記屈曲状態が維持される場所において、複数の前記ケーブルが束ねられていることが好ましい。
【００１２】
このような光ディスクドライブ装置によれば、導電線を構成する複数のケーブルが、屈曲状態が維持される場所において束ねられているため、導電線は、屈曲状態が維持される場所におけるディスクトレーに垂直な方向に沿った幅を小さくすることができる。従って、導電線により光ディスクドライブ装置が厚くなることを防止することができる。
【００１３】
また、上記光ディスクドライブ装置において、複数の前記ケーブルは、前記屈曲状態が維持される場所において、樹脂から成るチューブに屈曲された状態で挿入されて、前記チューブ内において束ねられることが好ましい。
【００１４】
このような光ディスクドライブ装置によれば、導電線は、複数のケーブルが樹脂製のチューブに挿入されて屈曲状態にされるため、屈曲状態を形成するための工程が簡易であり、安価に光ディスクドライブ装置を製造することができる。
【００１５】
また、上記光ディスクドライブ装置において、前記導電線は、ＦＰＣ、または、ＦＦＣであることとしても良い。
【発明の効果】
【００１６】
本発明によれば、薄型化できる光ディスクドライブ装置が提供される。
【図面の簡単な説明】
【００１７】
【図１】本発明の第１実施形態に係る光ディスクドライブ装置を示す平面図である。
【図２】図１に示すＦＰＣを示す図である。
【図３】図１の光ディスクドライブ装置のディスクトレーが収納された状態を示す平面図である。
【図４】本発明の第２実施形態に係る光ディスクドライブ装置を示す平面図である。
【図５】図４に示すケーブルアセンブリを示す図である。
【図６】図５に示すケーブルアセンブリの屈曲維持部を示す図である。
【図７】図４の光ディスクドライブ装置のディスクトレーが収納された状態を示す平面図である。
【発明を実施するための形態】
【００１８】
以下、本発明に係る光ディスクドライブ装置の好適な実施形態について図面を参照しながら詳細に説明する。
【００１９】
（第１実施形態）
本発明の第１実施形態に係る光ディスクドライブ装置を示す平面図である。
【００２０】
図１に示すように、本実施形態の光ディスクドライブ装置１は、回路基板１１を有する本体１０と、光ディスクが載置され、本体１０に対して排出収納可能にスライドするディスクトレー２０と、ディスクトレー２０に設置される光ピックアップ３１及びドライブモータ３２と、回路基板１１と光ピックアップ３１及びドライブモータ３２とを電気的に接続する可撓性を有するＦＰＣ４０と、を主な構成として備える。
【００２１】
なお、本実施形態においては、ディスクトレー２０が排出される方向を前方とし、ディスクトレー２０が収納される方向を後方とし、ディスクトレー２０の光ディスクが載置される側を上側とし、ディスクトレー２０の光ディスクが載置される側と反対側と下側とする。
【００２２】
本体１０は、上方から見る場合に、略四角形の外形をしており、ディスクトレー２０を前方・後方にスライドして、ディスクトレー２０を収納排出可能な構成とされている。このため、本体１０には、ディスクトレー２０と平行な略平面状の面を有し、ディスクトレー２０が収納可能な収納スペース１２が形成されている。この収納スペース１２は、平面から見る場合に略四角形の形状をしている。
【００２３】
また、本体１０は側壁１３を有しており、側壁１３は、収納スペース１２におけるディスクトレー２０のスライド方向に平行な側部において、ディスクトレー２０と垂直な方向に延在している。
【００２４】
また、本体１０における収納スペース１２の後方には、回路基板１１が設けられており、回路基板１１には、図示しない端子を有するソケット１５が設けられている。このソケット１５の端子は、回路基板１１に形成されている回路と電気的に接続されている。
【００２５】
さらに、本体１０には、ディスクトレー２０をスライドさせる図示しないスライド機構部が設けられている。
【００２６】
この本体１０に対してスライド可能とされるディスクトレー２０は、平面から見る場合に、略四角形の外形をしている。そして、ディスクトレー２０の前方には、蓋部２７が形成されており、ディスクトレー２０の略中央には、光ディスクを載置するディスク載置面２１が形成されている。このディスク載置面２１は、外形が円形とされて、ディスクトレー２０に垂直な方向に窪んだ構成とされている。
【００２７】
また、ディスク載置面２１の中央には、ディスクをチャックするチャッキング２３がディスクトレーに垂直に設けられた回転軸２４により回転可能に軸支されている。このチャッキング２３を軸支する回転軸２４は、ディスクトレー２０を上下に貫通しており、ディスクトレー２０の下側において、光ディスクを回転させる電子部品としてのドライブモータ３２に連結されている。このドライブモータ３２は、ディスクトレーの下面に設置されており、ドライブモータ３２により、回転軸２４及びチャッキング２３が回転する。
【００２８】
また、ディスクトレー２０の下側の面には、光ディスクの情報を読み取る電子部品としての光ピックアップ３１が設置されている。また、ディスクトレー２０におけるディスク載置面２１が形成されている領域には、切欠き２２が形成されている。そして、この切欠き２２を通じて、光ピックアップ３１のレンズ３１aがディスクトレー２０の下側から露出している。
【００２９】
また、ディスクトレー２０における後方側には、図示しない複数の端子を有するソケット２５が設けられており、ソケット２５の端子とドライブモータ３２及び光ピックアップ３１とは、図示しない配線により電気的に接続されている。
【００３０】
このソケット２５には、導電線としてのＦＰＣ４０が接続されている。図２は、図１に示す導電線としてのＦＰＣ４０を示す図である。図２に示すように、ＦＰＣ４０は、可撓性を有する基板４１と、複数の信号線と、一対の電源線と、これら複数の信号線、及び、一対の電源線と接続される一対のコネクタ４３、４３とを主な構成として備える。なお、一対の電源線のうち一方の電源線は、電圧が印加される電力線とされ、他方の電力線は、接地されるグランド線とされる。
【００３１】
基板４１は、帯状の形状をしており、基板４１の長手方向に平行な方向に沿って、複数の導体層４２が形成されている。そして、この複数の導体層４２の一部が、複数の信号線を構成し、他の一部が、一対の電源線を構成している。
【００３２】
また、ＦＰＣ４０の両端には、それぞれ図示しない複数の端子を有するコネクタ４３が設置されており、この端子がそれぞれの導体層４２と接続されている。
【００３３】
そして、ＦＰＣ４０の一端に接続されたコネクタ４３は、図１に示すように本体１０に設けられたソケット１５に嵌合され、コネクタ４３の端子とソケット１５の端子とが接続される。さらに、ＦＰＣ４０の他端に接続されたコネクタ４３は、ディスクトレー２０に設けられたソケット２５に嵌合され、コネクタ４３の端子とソケット２５の端子とが接続される。なお、図１において、コネクタ４３は、ソケット１５、２５と嵌合しているため記載を省略している。
【００３４】
こうして、ＦＰＣ４０は、本体１０に設けられた回路基板１１、及び、ディスクトレー２０に設置された光ピックアップ３１、ドライブモータ３２と電気的に接続される。そして、図１に示すようにディスクトレー２０の後方に配置される。このとき、ＦＰＣ４０は、幅方向が上下方向を向くようにして、Ｕ字状に配置される。
【００３５】
図３は、図１の光ディスクドライブ装置１のディスクトレー２０が収納された状態を示す平面図である。図３に示すように、ディスクトレー２０が本体１０に収納された状態において、ＦＰＣ４０は、ディスクトレー２０のディスク載置面２１と平行な面に沿って重なるように撓む。こうして、ＦＰＣ４０が回路基板１１、及び、光ピックアップ３１、ドライブモータ３２と電気的に接続された状態を維持しながら、ディスクトレー２０は収納される。
【００３６】
本実施形態による光ディスクドライブ装置１によれば、ディスクトレー２０に設けられた光ピックアップ３１及びドライブモータ３２と本体１０の回路基板１１とを電気的に接続するＦＰＣ４０が、ディスクトレー２０の後方に配置される。従って、このＦＰＣ４０は、ディスクトレー２０と上下方向において重ならない。そして、ディスクトレー２０が収納されている状態において、ＦＰＣ４０は、ディスクトレー２０の後方においてディスク載置面２１に平行な方向に沿って重なるようにして撓む。従って、ＦＰＣ４０が撓むために必要な収納スペース１２の厚さを、ＦＰＣ４０のディスク載置面２１に垂直な方向に沿った幅と同じ大きさまで薄くすることができる。こうして、光ディスクドライブ１装置を薄型化することができる。
【００３７】
なお、本実施形態においては、導電線としてＦＰＣを例に説明したが、ＦＰＣに代えてＦＦＣ（Flexible Flat Cable）を用いても良い。
【００３８】
（第２実施形態）
次に、本発明の第２実施形態について図４を参照して詳細に説明する。なお、第１実施形態と同一又は同等の構成要素については、同一の参照符号を付して重複する説明は省略する。図４は、本発明の第２実施形態に係る光ディスクドライブ装置を示す平面図である。
【００３９】
図４に示すように、本実施形態の光ディスクドライブ装置２は、第１実施形態における導電線としてのＦＰＣ４０の代わりに、導電線としてのケーブルアセンブリ５０が用いられている点において、第１実施形態の光ディスクドライブ装置１と異なる。
【００４０】
図５は、図４に示すケーブルアセンブリ５０を示す図である。ケーブルアセンブリ５０は、複数の信号線及び一対の電源線と、それぞれの信号線およびそれぞれの電源線の両端に接続される一対のコネクタ５３を主な構成として有する。
【００４１】
信号線及び電源線は、それぞれ絶縁ケーブル５１により構成され、これら絶縁ケーブル５１は、中心導体が絶縁性の樹脂で被覆された構成とされる。また、一対のコネクタ５３は、図示しない複数の端子を有しており、この端子がそれぞれの絶縁ケーブルの中心導体に接続されている。
【００４２】
また、ケーブルアセンブリ５０のそれぞれの絶縁ケーブル５１は、テープ５２により束ねられている。さらにケーブルアセンブリ５０の長手方向における中央部においては、それぞれの絶縁ケーブル５１が、屈曲されて、この屈曲が維持されている屈曲維持部５５が形成されている。
【００４３】
図６は、この屈曲維持部５５を示す図である。図６に示すように屈曲維持部５５においては、それぞれの絶縁ケーブル５１が屈曲されて、樹脂から成るチューブ５６に挿入されている。そして、それぞれの絶縁ケーブル５１は、このようにチューブ５６に屈曲された状態で、チューブ５６内において束ねられている。
【００４４】
そして、ケーブルアセンブリ５０の一端に設けられたコネクタ５３は、図４に示すように本体１０に設けられたソケット１５に嵌合され、コネクタ５３の端子とソケット１５の端子とが接続される。さらに、ケーブルアセンブリ５０の他端に設けられたコネクタ５３は、ディスクトレー２０に設けられたソケット２５に嵌合され、コネクタ５３の端子とソケット２５の端子とが接続される。なお、図４において、コネクタ５３は、ソケット１５、２５と嵌合しているため記載を省略している。
【００４５】
このようにケーブルアセンブリ５０は、屈曲維持部５５を有するために、図４に示すようにディスクトレー２０が排出された状態においても、屈曲維持部５５が伸展せずに屈曲されたままとされる。そして、ケーブルアセンブリ５０は、絶縁ケーブル５１における屈曲維持部５５以外の全体が緩やかに撓みながら伸ばされる。
【００４６】
図７は、図４の光ディスクドライブ装置２のディスクトレーが収納された状態を示す平面図である。図７に示すように、ディスクトレー２０が本体１０に収納された状態では、ケーブルアセンブリ５０におけるそれぞれの絶縁ケーブル５１は、屈曲維持部５５で屈曲した状態で、ディスク載置面２１と平行な面に沿って重なるようにして折りたたまれる。
【００４７】
本実施形態における光ディスクドライブ装置２によれば、ディスクトレー２０が本体１０に収納された状態では、ケーブルアセンブリ５０は、屈曲した状態で折りたたまれる。従って、ディスクトレー２０の後方の収納スペース１２を小さくすることができる。こうして、光ディスクドライブ装置２の奥行きを小さくすることができる。さらに、ケーブルアセンブリ５０のディスクトレー２０が収納された状態で屈曲する場所が、予め屈曲状態にされると共に、この屈曲状態が維持されて、屈曲維持部５５とされる。従って、ディスクトレー２０がスライドして排出されるとき、ケーブルアセンブリ５０の屈曲維持部５５が伸展することを防止することができる。このように屈曲維持部５５が伸展することが防止されるため、ディスクトレー２０がスライドして排出されるときには、ケーブルアセンブリ５０は、屈曲維持部５５が屈曲された状態で、屈曲維持部５５以外の全体が撓みながら、折りたたまれた状態から伸びる状態になる。従って、屈曲・伸展の動作がケーブルアセンブリ５０における１か所に集中することを防止することができる。このようにして、ケーブルアセンブリ５０の一か所が屈曲・伸展することにより、ケーブルアセンブリ５０が疲労して断線することを抑制することができる。こうして、耐久性に優れる光ディスクドライブ装置にすることができる。
【００４８】
また、ケーブルアセンブリ５０を構成する複数の絶縁ケーブル５１が、屈曲維持部５５において束ねられているため、ケーブルアセンブリ５０は、屈曲維持部５５におけるディスクトレー２０に垂直な方向の幅を小さくすることができる。従って、ケーブルアセンブリ５０により光ディスクドライブ装置２が厚くなることを防止することができる。
【００４９】
また、ケーブルアセンブリ５０は、複数の絶縁ケーブル５１を樹脂製のチューブ５６に挿入して屈曲維持部５５としているため、屈曲維持部５５を形成するための工程が簡易であり、安価に光ディスクドライブ装置２を製造することができる。
【００５０】
なお、本実施形態においては、導電線としてケーブルアセンブリ５０を例に説明したが、ケーブルアセンブリ５０に代えて、ＦＰＣやＦＦＣを用いても良い。この場合、屈曲維持部は、ＦＰＣやＦＦＣがＵＶ樹脂やホットメルト樹脂等の接着剤や、両面テープにより接着されれば良い。
【００５１】
また、屈曲維持部５５は、絶縁ケーブル５１がチューブ５６により屈曲された状態で束ねられる構成としたが、ＵＶ樹脂やホットメルト樹脂等の接着剤により屈曲された状態で束ねられたり、テープで巻かれることにより屈曲された状態で束ねられても良い。
【００５２】
以上、本発明について、第１、第２実施形態を例に説明したが、本発明はこれらに限定されるものではない。
【００５３】
たとえば、ディスクトレー２０には電子部品として光ピックアップ３１とドライブモータ３２とが設置されるものとしたが、どちらか一方でも良く、また、他の電子部品が設置されていても良い。
【産業上の利用可能性】
【００５４】
本発明によれば、薄型化できる光ディスクドライブ装置が提供される。
【符号の説明】
【００５５】
１、２・・・光ディスクドライブ装置
１０・・・本体
１１・・・回路基板
１２・・・収納スペース
１３・・・側壁
１５・・・ソケット
２０・・・ディスクトレー
２１・・・ディスク載置面
２３・・・チャッキング
２４・・・回転軸
２５・・・ソケット
２７・・・蓋部
３１・・・光ピックアップ
３２・・・ドライブモータ
４１・・・基板
４２・・・導体層
４３・・・コネクタ
５０・・・ケーブルアセンブリ
５１・・・絶縁ケーブル
５２・・・テープ
５３・・・コネクタ
５５・・・屈曲維持部
５６・・・チューブ
【図１】
2011090743.tif 000003
【図２】
2011090743.tif 000004
【図３】
2011090743.tif 000005
【図４】
2011090743.tif 000006
【図５】
2011090743.tif 000007
【図６】
2011090743.tif 000008
【図７】
2011090743.tif 000009